【手続補正書】
【提出日】平成17年6月22日(2005.6.22)
【手続補正１】
【補正対象書類名】明細書
【補正対象項目名】特許請求の範囲
【補正方法】変更
【補正の内容】
【特許請求の範囲】
【請求項１】
消耗品としてトナーが収納された消耗品収納室，静電潜像を形成するための感光ドラム，前記感光ドラムを帯電させる帯電ローラ，前記帯電ローラにトナーを付着させて前記静電潜像を現像する現像ローラ，情報を格納するメモリを備えたカートリッジが交換可能に装填されるプリンタに用いられ、前記カートリッジに対して不適正な消耗品の詰め替えを行った不適正カートリッジの検出装置において、
前記メモリにプリンタ稼働情報を書き込む書き込み手段と、
消耗品切れを判断するために、前記プリンタ稼働情報に基づいて、消耗品の残量を予測する予測手段と、
カートリッジがプリンタに装填された際に、前記カートリッジにメモリが設けられているかどうかを調べ、前記メモリが設けられていない場合には、不適正カートリッジと判定するとともに、他方、メモリが設けられている場合には、前記プリンタ稼働情報に基づいて、消耗品切れか否かを調べ、消耗品切れと判断されたカートリッジを不適正カートリッジと判定する判定手段と、
前記不適正カートリッジと判定された場合に警告する警告手段とを備えたことを特徴とする不適正カートリッジの検出装置。
【請求項２】
前記不適正カートリッジと判定された場合には、警告とともにプリンタの画像形成動作を禁止することを特徴とする請求項１記載の不適正カートリッジの検出装置。
【請求項３】
前記書き込み手段は、１枚プリントする毎に前記プリンタ稼働情報を更新することを特徴とする請求項１又は２記載の不適正カートリッジの検出装置。
【請求項４】
更に、前記書き込み手段は、前記カートリッジが前記プリンタから取り出される際に、前記カートリッジが取り出されたことを表す取り出し情報を、前記メモリに書き込むとともに、
前記判定手段は、前記カートリッジが前記プリンタに装填された際に、前記メモリ内の前記取り出し情報の有無を調べ、前記取り出し情報が有る場合に、そのカートリッジを不適正カートリッジと判定することを特徴とする請求項１〜３いずれか記載の不適正カートリッジの検出装置。
【請求項５】
消耗品としてトナーが収納された消耗品収納室，静電潜像を形成するための感光ドラム，前記感光ドラムを帯電させる帯電ローラ，前記帯電ローラにトナーを付着させて前記静電潜像を現像する現像ローラ，情報を格納するメモリを備えたカートリッジが交換可能に装填されるプリンタに用いられ、前記カートリッジに対して不適正な消耗品の詰め替えを行った不適正カートリッジの検出方法において、
前記メモリにプリンタ稼働情報を書き込み、
前記カートリッジがプリンタに装填された際に、前記カートリッジにメモリが設けられているかどうかを調べ、前記メモリが設けられていない場合には、不適正カートリッジと判定するとともに、他方、メモリが設けられている場合には、前記プリンタ稼働情報に基づいて予測手段によって消耗品の残量を予測して消耗品切れか否かを調べ、消耗品切れと判断されたカートリッジを不適正カートリッジと判定し、
前記不適正カートリッジと判定された場合に警告することを特徴とする不適正カートリッジの検出方法。
【請求項６】
前記不適正カートリッジと判定された場合には、警告とともにプリンタの画像形成動作を禁止することを特徴とする請求項５記載の不適正カートリッジの検出方法。
【請求項７】
前記プリンタ稼働情報は、１枚プリントする毎に更新されることを特徴とする請求項５又は６記載の不適正カートリッジの検出方法。
【請求項８】
更に、前記カートリッジが前記プリンタから取り出される際に、前記カートリッジが取り出されたことを表す取り出し情報を、前記メモリに書き込むとともに、
前記カートリッジが前記プリンタに装填された際に、前記メモリ内の前記取り出し情報の有無を調べ、前記取り出し情報が有る場合に、そのカートリッジを不適正カートリッジと判定することを特徴とする請求項５〜７いずれか記載の不適正カートリッジの検出方法。
【請求項９】
消耗品が収納された消耗品収納室と情報を格納するメモリとを備えたカートリッジが交換可能に装填されるプリンタに用いられ、前記カートリッジに対して不適正な消耗品の詰め替えを行った不適正カートリッジの検出装置において、
前記メモリにプリンタ稼働情報を書き込む書き込み手段と、
消耗品切れを判断するために、前記プリンタ稼働情報に基づいて、消耗品の残量を予測する予測手段と、
カートリッジがプリンタに装填された際に、前記カートリッジにメモリが設けられているかどうかを調べ、前記メモリが設けられていない場合には、不適正カートリッジと判定するとともに、他方、メモリが設けられている場合には、前記プリンタ稼働情報に基づいて、消耗品切れか否かを調べ、消耗品切れと判断されたカートリッジを不適正カートリッジと判定する判定手段と、
前記不適正カートリッジと判定された場合に警告する警告手段とを備えたことを特徴とする不適正カートリッジの検出装置。
【請求項１０】
前記不適正カートリッジと判定された場合には、警告とともにプリンタの画像形成動作を禁止することを特徴とする請求項９記載の不適正カートリッジの検出装置。
【請求項１１】
前記書き込み手段は、１枚プリントする毎に前記プリンタ稼働情報を更新することを特徴とする請求項９又は１０記載の不適正カートリッジの検出装置。
【請求項１２】
更に、前記書き込み手段は、前記カートリッジが前記プリンタから取り出される際に、前記カートリッジが取り出されたことを表す取り出し情報を、前記メモリに書き込むとともに、
前記判定手段は、前記カートリッジが前記プリンタに装填された際に、前記メモリ内の前記取り出し情報の有無を調べ、前記取り出し情報が有る場合に、そのカートリッジを不適正カートリッジと判定することを特徴とする請求項９〜１１いずれか記載の不適正カートリッジの検出装置。
【請求項１３】
消耗品が収納された消耗品収納室と情報を格納するメモリとを備えたカートリッジが交換可能に装填されるプリンタに用いられ、前記カートリッジに対して不適正な消耗品の詰め替えを行った不適正カートリッジの検出方法において、
前記メモリにプリンタ稼働情報を書き込み、
前記カートリッジがプリンタに装填された際に、前記カートリッジにメモリが設けられているかどうかを調べ、前記メモリが設けられていない場合には、不適正カートリッジと判定するとともに、他方、メモリが設けられている場合には、前記プリンタ稼働情報に基づいて予測手段によって消耗品の残量を予測して消耗品切れか否かを調べ、消耗品切れと判断されたカートリッジを不適正カートリッジと判定し、
前記不適正カートリッジと判定された場合に警告することを特徴とする不適正カートリッジの検出方法。
【請求項１４】
消耗品が収納された消耗品収納室と情報を格納するメモリとを備えたカートリッジが交換可能に装置本体に装填される画像形成装置において、
前記メモリにプリンタ稼働情報を書き込む書き込み手段と、
消耗品切れを判断するために、前記プリンタ稼働情報に基づいて、消耗品の残量を予測する予測手段と、
前記カートリッジが前記装置本体に装填された際に、前記カートリッジにメモリが設けられているかどうかを調べ、前記メモリが設けられていない場合には、不適正カートリッジと判定するとともに、他方、メモリが設けられている場合には、前記プリンタ稼働情報に基づいて、消耗品切れか否かを調べ、消耗品切れと判断されたカートリッジを不適正カートリッジと判定する判定手段と、
前記不適正カートリッジと判定された場合に警告する警告手段とを備えたことを特徴とする画像形成装置。
【請求項１５】
前記不適正カートリッジと判定された場合には、警告とともにプリンタの画像形成動作を禁止することを特徴とする請求項１４記載の画像形成装置。
【請求項１６】
前記書き込み手段は、１枚プリントする毎に前記プリンタ稼働情報を更新することを特徴とする請求項１４又は１５記載の画像形成装置。
【請求項１７】
更に、前記書き込み手段は、前記カートリッジが前記プリンタから取り出される際に、前記カートリッジが取り出されたことを表す取り出し情報を、前記メモリに書き込むとともに、
前記判定手段は、前記カートリッジが前記プリンタに装填された際に、前記メモリ内の前記取り出し情報の有無を調べ、前記取り出し情報が有る場合に、そのカートリッジを不適正カートリッジと判定することを特徴とする請求項１４〜１６いずれか記載の画像形成装置。